(57)【特許請求の範囲】
【請求項１】
左右一対および上下一対の４つの薄板と十字桟からなる格子枠状のフレームとこれと同じサイズを有する左右一対および上下一対の４つの薄板からなる矩形枠状のフレームとをインテグラルヒンジを介して２つ折りに折り畳み可能に連接するとともに、両フレームを折り畳み状態で互いに係止する手段を備えたフィルタ枠と、このフィルタ枠に着脱可能に装着される矩形シート状のフィルタ材とからなり、
前記係止する手段は、前記格子枠状のフレームの上下一対の薄板の前記矩形枠状のフレームと連接する反対側の薄板に裏面側に折り返し可能に一体に延在されたスリット付きの係合穴を有する折曲辺と、前記格子枠状のフレームの左右一対の薄板の中央に突設されて前記矩形枠状のフレームの左右一対の薄板に係止する鉤状の係止爪と、前記矩形枠状のフレームの上下一対の薄板の前記格子枠状のフレームと連接する反対側の薄板の表面に突設された係合突起を備え、
フィルタ枠の格子枠状のフレームにフィルタ材を載置して矩形枠状のフレームを２つ折りに折り畳み、格子枠状のフレームの折曲辺を折り返して該折曲辺の係合穴を矩形枠状のフレームの係合突起に係合させると同時に、格子枠状のフレームの係止爪を矩形枠状のフレームの薄板に係止させることにより、フィルタ枠の両フレームを互いに係止手段で係止することを特徴とする換気扇用フィルタ。
【発明の詳細な説明】
【０００１】
【発明の属する技術分野】
本発明は、直付け型換気扇に吸引される空気中の塵埃類や油分を捕捉する換気扇用フィルタに関するものである。
【０００２】
【従来の技術】
一般家庭の台所等で使用される直付け型換気扇は、壁や天井等に形成された換気口に取り付けられ、建物内の空気を吸引して建物外に排出させることにより、建物内の空気の換気を行なう。この種の直付け型換気扇では、空気中に含まれる塵埃類や油分が付着することから汚れが激しく、清掃を頻繁に行なう必要がある。この清掃の手間を除くために、換気扇の手前にフィルタを取り付け、このフィルタにより換気扇に吸引される空気中に含まれる塵埃類や油分を捕捉し、換気扇の羽根等の汚れを防止する方法が取られている。
【０００３】
従来、直付け型換気扇に使用されるフィルタは、骨組構造のフィルタ枠にフレキシブルなグラスウール、不織布等のフィルタ材を接着・加締等の手段で一体化した構造であり、換気扇の前面に取り付けた取付パネルに取り付けられるようになっている。
【０００４】
【発明が解決しようとする課題】
従来の換気扇用フィルタは、フィルタ枠にフィルタ材を接着・加締等の手段により一体化した構造であるため、フィルタ交換の際、フィルタ枠とフィルタ材とを一体として交換・破棄しなければならず、ランニングコスト面で不利であった。
【０００５】
本発明の目的は、ランニングコストの低減を図る換気扇用フィルタを提供することにある。
【０００６】
【課題を解決するための手段】
本発明は、左右一対および上下一対の４つの薄板と十字桟からなる格子枠状のフレームとこれと同じサイズを有する左右一対および上下一対の４つの薄板からなる矩形枠状のフレームとをインテグラルヒンジを介して２つ折りに折り畳み可能に連接するとともに、両フレームを折り畳み状態で互いに係止する手段を備えたフィルタ枠と、このフィルタ枠に着脱可能に装着される矩形シート状のフィルタ材とからなり、係止する手段は、格子枠状のフレームの上下一対の薄板の矩形枠状のフレームと連接する反対側の薄板に裏面側に折り返し可能に一体に延在されたスリット付きの係合穴を有する折曲辺と、格子枠状のフレームの左右一対の薄板の中央に突設されて矩形枠状のフレームの左右一対の薄板に係止する鉤状の係止爪と、矩形枠状のフレームの上下一対の薄板の格子枠状のフレームと連接する反対側の薄板の表面に突設された係合突起を備え、フィルタ枠の格子枠状のフレームにフィルタ材を載置して矩形枠状のフレームを２つ折りに折り畳み、格子枠状のフレームの折曲辺を折り返して該折曲辺の係合穴を矩形枠状のフレームの係合突起に係合させると同時に、格子枠状のフレームの係止爪を矩形枠状のフレームの薄板に係止させることにより、フィルタ枠の両フレームを互いに係止手段で係止することにより、上記目的を達成するものである。
【０００７】
【発明の実施の形態】
以下、本発明の換気扇用フィルタを図面に示す実施例について説明する。
【０００８】
図１は、本発明の換気扇用フィルタを構成するフィルタ枠１とフィルタ材１０の組付前の斜視図を示す。フィルタ枠１は、例えばプラスチック製のもので、矩形枠状のフレーム３とこれと同じサイズを有する格子枠状のフレーム２とを薄肉に形成されたインテグラルヒンジ４を介して２つ折りに折り畳み可能に一体に連接している。フレーム２は左右一対および上下一対の４つの薄板２ａ，２ｂと十字桟２ｃからなり、フレーム３と連接する反対側の薄板２ａの２ヵ所にはスリット付きの係合穴５を有する折曲辺６が薄肉に形成されたインテグラルヒンジ７を介して裏面（図１の上面）側に折り返し可能に一体に延在されるとともに（図２参照）、薄板２ｂの中央にはフレーム３の薄板３ｂに係止する鉤状の係止爪８が突設されている（図３参照）。フレーム３は左右一対および上下一対の４つの薄板３ａ，３ｂからなり、フレーム２と連接する反対側の薄板３ａの表面（図１の下面）の２ヵ所には係合突起９が突設されている（図４参照）。この係合突起９はフレーム２，３を二つ折りに折り畳んでフレーム２の折曲辺６をフレーム３上に折り返した状態で該折曲辺６の係合穴５に対応するように備えられている。
【０００９】
フィルタ材１０は、例えばグラスウール、不織布等のフレキシブルな矩形シートで、フィルタ枠１のフレーム２，３より若干小さいめのサイズに形成されている。フィルタ材１０はフィルタ枠１に、図６乃至図８に示すように着脱可能に装着される。
【００１０】
図１の状態のフィルタ枠１のフレーム２にフィルタ材１０を載置した後、フレーム３をフレーム２上に２つ折りに折り畳み、次いで、図７に示すように、フレーム２の折曲辺５を折り返して該折曲辺６の係合穴５をフレーム３の係合突起９に係合させると同時に、図８に示すように、フレーム２の係止爪８をフレーム３の薄板３ｂに係止させることにより、フィルタ枠１にフィルタ材１０を着脱可能に装着して換気扇用フィルタを組み立てる。
【００１１】
以上のようにフィルタ枠１にフィルタ材１０を着脱可能に装着して組み立てた換気扇用フィルタは、換気扇の前面に取り付けた取付パネルに着脱可能に取り付けられ、フィルタ材１０で換気扇に吸引される空気中の塵埃類や油分を捕捉する。フィルタ材１０が汚れたり能力低下を起こすと、フィルタ材１０だけを交換してフィルタ枠１は再利用する。フィルタ交換は、取付パネルから換気扇用フィルタの全体を取り外した後、フレーム２の折り返した折曲辺５をその係合穴５をフレーム３の係合突起９から係合を外しながら元に折り戻すと同時に、フレーム２のフレーム３の薄板３ｂに係止した係止爪８をフレーム３の薄板３ｂから係止を外し、次いで、フィルタ枠１の折り畳んだフレーム３を元に折り戻してフィルタ材１０を取り外し、新しいフィルタ材１０を再度装着するだけの簡単な作業で行なわれる。
【００１２】
尚、本発明は上記実施例に限らず、例えばフィルタ枠１の材質はプラスチック以外にアルミニウム、その他の金属からなる薄板を用いても良い。
【００１３】
【発明の効果】
本発明によれば、フィルタ枠にフィルタ材を着脱可能に装着することができるから、フィルタ交換の際、フィルタ材のみを交換してフィルタ枠を再利用すれば良いので、ランニングコストの低減を図れるユーザにとって便利な換気扇用フィルタを提供することができる。
【図面の簡単な説明】
【図１】本発明の一実施例を示す換気扇用フィルタの分解斜視図である。
【図２】図１のＡ−Ａ部分の拡大断面図である。
【図３】図１のＢ−Ｂ部分の拡大断面図である。
【図４】図１のＣ−Ｃ部分の拡大断面図である。
【図５】図１のフィルタ枠の平面図である。
【図６】図１のフィルタ枠にフィルタ材を装着した換気扇用フィルタの斜視図である。
【図７】図６のＤ−Ｄ部分の拡大断面図である。
【図８】図６のＥ−Ｅ部分の拡大断面図である。
【符号の説明】
１    フィルタ枠
２    フレーム
３    フレーム
４    インテグラルヒンジ
５    係合穴
６    折曲辺
７    インテグラルヒンジ
８    係止爪
９    係合突起
１０  フィルタ材
【図１】
0003792360.tif 000002
【図２】
0003792360.tif 000003
【図３】
0003792360.tif 000004
【図４】
0003792360.tif 000005
【図５】
0003792360.tif 000006
【図６】
0003792360.tif 000007
【図７】
0003792360.tif 000008
【図８】
0003792360.tif 000009